(57)【要約】【課題】  蛍光状態の患部と、その周辺部の同時観察を可能する蛍光観察用の明視野光源及びそれを搭載した手術顕微鏡を提供する。【解決手段】  患部Ａの蛍光に相当する波長領域（６７２ｎｍ）が、他の領域よりも相対的に低い発光強度を有する可視光を発する光源（白色ＬＥＤ）１７、又はその波長領域がフィルターによりカットされた可視光を発する光源を用いるため、蛍光状態の患部Ａの周辺部Ｂも明視野で観察することができる。蛍光に相当する波長領域は強度が相対的に低いか、カットされているため、蛍光観察の邪魔にならない。手術顕微鏡１に蛍光観察用の光源（白色ＬＥＤ）１７及び励起光源（半導体レーザー照射装置）１８が搭載されているため、それらを他の手段により支持する必要がなく、便利である【選択図】        図１
2006296516.tif 000002
【特許請求の範囲】
【請求項１】
光感受性物質を集積させた患部に励起光を照射して蛍光を発生させ、患部及び周辺部を、励起光の波長をカットするノッチフィルターを介して手術顕微鏡で観察する際に、患部及び周辺部を照射する蛍光観察用の明視野光源であって、
前記患部の蛍光に相当する波長領域が、他の領域よりも相対的に低い発光強度を有するか、またはフィルターによりカットされた可視光を発することを特徴とする蛍光観察用の明視野光源。
【請求項２】
請求項１記載の蛍光観察用の明視野光源であって、
白色ＬＥＤであることを特徴とする蛍光観察用の明視野光源。
【請求項３】
請求項１又は請求項２記載の蛍光観察用の明視野光源を搭載したことを特徴とする手術顕微鏡。
【請求項４】
請求項１又は請求項２記載の蛍光観察用の明視野光源を、手術顕微鏡の観察光の取入口に着脱自在に取付けられたアタッチメントに搭載したことを特徴とする手術顕微鏡。
【請求項５】
請求項４記載の蛍光観察用の明視野光源であって、
アタッチメントに励起光の励起光源も搭載されていることを特徴とする手術顕微鏡。
【発明の詳細な説明】
【技術分野】
【０００１】
本発明は、蛍光観察用の明視野光源及びそれを搭載した手術顕微鏡に関するものである。
【背景技術】
【０００２】
例えば脳外科手術において、光感受性物質を患者に投与し、腫瘍等の患部への集積が進んだ段階で、手術室内の照明を消して暗くし、その光感受性物質を励起できる波長の励起光（例えばレーザー）を照射する。すると光感受性物質を集積した患部だけから蛍光が放射されるため、蛍光を発する患部を、励起光の波長をカットするノッチフィルターを介して手術顕微により観察することができる。
【０００３】
励起光の波長をノッチフィルターでカットするのは、その波長範囲の光の強度が強く、蛍光観察の邪魔になるからである。手術顕微鏡における視野内では、患部だけが暗視野において蛍光により浮かび上がった状態で観察でき、その周辺部は真っ暗である。周辺部を観察するには、患部への励起光の照射を停止し、手術室の照明を点灯して明るくした状態で通常の観察をする必要がある。
【特許文献１】特開２００４−８９５３３号公報
【発明の開示】
【発明が解決しようとする課題】
【０００４】
しかしながら、このような従来の技術にあっては、蛍光状態の患部の周辺部が暗いため、周辺部を観察するには励起光を停止して、手術室内の照明をその都度点灯する必要があり、煩わしかった。また、蛍光状態の患部と周辺部を同時に観察することができず、不便であった。
【０００５】
本発明は、このような従来の技術に着目してなされたものであり、蛍光状態の患部と、その周辺部の同時観察を可能する蛍光観察用の明視野光源及びそれを搭載した手術顕微鏡を提供するものである。
【課題を解決するための手段】
【０００６】
請求項１記載の発明は、光感受性物質を集積させた患部に励起光を照射して蛍光を発生させ、患部及び周辺部を、励起光の波長をカットするノッチフィルターを介して手術顕微鏡で観察する際に、患部及び周辺部を照射する蛍光観察用の明視野光源であって、前記患部の蛍光に相当する波長領域が、他の領域よりも相対的に低い発光強度を有するか、またはフィルターによりカットされた可視光を発することを特徴とする。
【０００７】
請求項２記載の発明は、白色ＬＥＤであることを特徴とする。
【０００８】
請求項３記載の発明は、前項記載の蛍光観察用の明視野光源を搭載したことを特徴とする手術顕微鏡である。
【０００９】
請求項４記載の発明は、前項記載の蛍光観察用の明視野光源を、手術顕微鏡の観察光の取入口に着脱自在に取付けられたアタッチメントに搭載したことを特徴とする手術顕微鏡である。
【００１０】
請求項５記載の発明は、前項記載のアタッチメントに励起光の励起光源も搭載されていることを特徴とする手術顕微鏡である。
【発明の効果】
【００１１】
請求項１記載の発明によれば、患部の蛍光に相当する波長領域が、他の領域よりも相対的に低い発光強度を有する可視光を発する光源、又はその波長領域がフィルターによりカットされた可視光を発する光源を用いるため、蛍光状態の患部の周辺部も明視野で観察することができる。蛍光に相当する波長領域は強度が相対的に低いか、カットされているため、蛍光観察の邪魔にならない。
【００１２】
請求項２記載の発明によれば、白色ＬＥＤは、患部の蛍光に相当する波長領域が、他の領域よりも相対的に低い発光強度を有する可視光を発する特性を有している。従って、白色ＬＥＤをそのまま蛍光観察用の明視野光源として用いることができる。
【００１３】
請求項３記載の発明によれば、手術顕微鏡に蛍光観察用の明視野光源が搭載されているため、明視野光源を他の手段により支持する必要がなく、便利である。
【００１４】
請求項４記載の発明によれば、明視野光源を、手術顕微鏡の観察光の取入口に着脱自在に取付けられたアタッチメントに搭載したため、不使用時には外しておくことができ便利であると共に、明視野光源のメンテナンス（交換調整等）も容易である。
【００１５】
請求項５記載の発明によれば、アタッチメントに励起光の励起光源も搭載したため、不使用時には外しておくことができ便利であると共に、励起光源のメンテナンス（交換調整等）も容易である。
【発明を実施するための最良の形態】
【００１６】
本発明は、蛍光状態の患部と、その周辺部の同時観察を可能する蛍光観察用の明視野光源及びそれを搭載した手術顕微鏡を提供するという目的を、光感受性物質を集積させた患部に励起光を照射して蛍光を発生させ、患部及び周辺部を、励起光の波長をカットするノッチフィルターを介して手術顕微鏡で観察する際に、患部及び周辺部を照射する蛍光観察用の明視野光源であって、前記患部の蛍光に相当する波長領域が、他の領域よりも相対的に低い発光強度を有するか、またはフィルターによりカットされた可視光を発することで、実現した。以下、本発明の実施例図面に基づいて説明する。
【実施例】
【００１７】
図１〜図４は、本発明の一実施例を示す図である。手術顕微鏡１は、手術室内において、図示せぬスタンド装置の支持アームの先端に支持されている。手術顕微鏡１は、２つの接眼部２を有する立体顕微鏡で、内部には垂直方向にフォーカスレンズ３が設置され、水平方向にズームレンズ４が設置されている。
【００１８】
フォーカスレンズ３を経た光はプリズム５を介してズームレンズ４に導かれる。ズームレンズ４を経た光は、２つのプリズム６、７を介して接眼部２側に折り返される。プリズム７と接眼部２との間には、光の一部を分岐するビームスプリッター８が設置されている。そして、分岐された光をＣＣＤカメラ９で撮影することができる。ビームスプリッター９とプリズム７の間にはノッチフィルター１０が設置されている。このノッチフィルター１０は６６４ｎｍの波長の光をカットする。
【００１９】
手術顕微鏡１におけるズームレンズ４の下方には、通常光源１１としてのハロゲン又はキセノン等用のファイバーを接続することができる。通常光源１１からの通常照明１１ａにより、蛍光観察でない時に、リレーレンズ１３とミラー１４を介して患部Ａを照らすことができる。
【００２０】
手術顕微鏡１における観察光の取入口１５にはアタッチメント１６が着脱自在に取付けられている。このアタッチメント１６における取入口１５の周辺相当部位には、複数の「明視野光源」としての白色ＬＥＤ１７が設置されている。白色ＬＥＤ１７の白色照明１７ａにより患部Ａを照らすことができる。
【００２１】
また、アタッチメント１６には「励起光源」としての半導体レーザー照射装置１８が搭載されている。半導体レーザー照射装置１８からは「励起光」としてのレーザー１８ａが照射される。レーザー１８ａは、バンドパスフィルター１９及びレンズ２０をした後、アタッチメント１６に固定されたミラー２１に反射されて、患部Ａ及び周辺部Ｂを照らす。バンドパスフィルター１９によりレーザー１８ａは６６４ｎｍの波長だけが通過する。バンドパスフィルター１９及びレンズ２０は可動式で、レンズ２０をレーザー１８ａから外すことにより、レーザー１８ａで患部Ａを照らす範囲が狭くなり、レンズ２０を通すことにより広くなる。
【００２２】
手術顕微鏡１で観察する患者には、予め脳腫瘍等の患部Ａへの集積性のある光感受性物質として、レザフィリン（登録商標）、一般名タラポルフィンナトリウムが投与される。これが患部Ａの細胞内に蓄積する。手術室の室内照明を消した状態にすると共に、手術顕微鏡１の通常光源１１は点灯させない状態で、光感受性物質が蓄積した後の患部Ａに対して半導体レーザー照射装置１８から６６４ｎｍの波長のレーザーＬを照射する。また、白色ＬＥＤ１７も点灯して、白色照明１７ａにより患部Ａ及び周辺部Ｂを照らす。
【００２３】
レーザー１８ａを照射したことにより、患部Ａに集積された光感受性物質が励起して、６７２ｎｍの蛍光を発する。そして、蛍光状態の患部Ａを手術顕微鏡１で観察及び撮影することができる。ノッチフィルター１０でレーザー１８ａの波長をカットするため、レーザー１８ａの邪魔を受けずに蛍光状態の患部Ａを確実に観察できる。また、白色ＬＥＤ１７により周辺部Ｂを照らしてるため、手術顕微鏡１では、周辺部Ｂも明るい状態で観察することができる。
【００２４】
例えば、図２は、白色ＬＥＤ１７を用いない従来の視野であるが、患部Ａだけは蛍光を発して観察できるものの、その周辺部Ｂは暗くて観察することができない。これに対し、図３は、本実施例の白色ＬＥＤ１７を用いた視野で、患部Ａだけでなく、その周辺部Ｂも明るい状態で観察することができる。従って、術者にとって手術を安全に且つ容易に行えるようになる。
【００２５】
白色ＬＥＤ１７が患部Ａの蛍光観察を邪魔しないで、その周辺部Ｂを確実に照らせるのは、白色ＬＥＤ１７の発光特性による。すなわち、白色ＬＥＤ１７は、図４に示すように、患部Ａの蛍光に相当する波長（６７２ｎｍ）が他の波長領域よりも相対的に低い発光強度を有する可視光を発する特性を有している。従って、患部Ａの蛍光観察の邪魔とならず、白色ＬＥＤ１７をそのまま蛍光観察用の明視野光源として用いることができる。
【００２６】
また、この実施例の手術顕微鏡１は、取入口１５に対して着脱自在なアタッチメント１６に白色ＬＥＤ１７と半導体レーザー照射装置１８を搭載したため、それらを他の手段により患部Ａに向けて支持する必要がなく、便利である。
【００２７】
更に、不使用時にはアタッチメント１６を外しておくことができ便利であると共に、白色ＬＥＤ１７や半導体レーザー照射装置１８のメンテナンス（交換調整等）も容易である。アタッチメント１６を外した場合は、通常光源１１を利用して、通常観察を行うことができる。
【産業上の利用可能性】
【００２８】
この実施例では、明視野光源として白色ＬＥＤ１７を用いる例を示したが、他の可視光を発する光源を用いて、蛍光の波長の光だけをフィルターによりカットするようにしても良い。
【図面の簡単な説明】
【００２９】
【図１】本発明の一実施例に係る手術顕微鏡を示す説明図。
【図２】周辺部が暗い視野を示す図。
【図３】周辺部が明るい視野を示す図。
【図４】白色ＬＥＤの発光強度を示すグラフ。
【符号の説明】
【００３０】
１  手術顕微鏡
１０  ノッチフィルター
１１  通常光源
１５  取入口
１６  アタッチメント
１７  白色ＬＥＤ
１７ａ  白色照明
１８  半導体レーザー照射装置（励起光源）
１８ａ  レーザー（励起光）
１９  バンドパスフィルター
Ａ  患部
Ｂ  周辺部
【図１】
2006296516.tif 000003
【図２】
2006296516.tif 000004
【図３】
2006296516.tif 000005
【図４】
2006296516.tif 000006